(57)【要約】【課題】電話帳データに対するアクセスの迅速化と、メモリ領域の節約との両立が可能なコードレス電話システムを提供すること。【解決手段】Ｓ３０５の結果、共通データ４０１が存在した場合には、その共通データ４０１を子機２００に転送する（Ｓ３０７）。転送された共通データ４０１は子機２００のＲＡＭ２４１に一時的に記憶される。続いて、子機２００はＬＣＤ表示部２３９に共通データを表示する（Ｓ３０９）。Ｓ３０５の結果、共通データ４０１が存在しなかった場合には、その旨を通知する信号が親機１００から子機２００に送信される。該信号を受信した子機２００は自機のフラッシュメモリ２４０に記憶されている電話帳データをＬＣＤ表示部２３９に表示する（Ｓ３０９）。【選択図】　　　図３
2004056514.tif 000002
【特許請求の範囲】
【請求項１】
親機及び／又は子機に電話帳機能を備えているコードレス電話システムにおいて、
前記親機及び／又は前記子機に、
自機の電話帳データを共通データとシークレットデータとに区分けする手段と、他機から前記共通データのデータ要求信号を受信した場合、前記共通データを前記他機に送信する手段と、
前記他機に前記共通データのデータ要求信号を送信する手段と、
前記他機から受信した前記共通データを表示する手段とを具備したことを特徴とするコードレス電話システム。
【請求項２】
請求項１に記載のコードレス電話システムにおいて、
前記親機及び／又は前記子機に、
前記データ要求信号の送信元識別情報と、自機に予め登録してある識別情報とが照合一致した場合にのみ前記共通データを送信する手段と、
他機に送信するデータ要求信号に自機の識別情報を付与する手段とを具備したことを特徴とするコードレス電話システム。
【請求項３】
請求項１又は請求項２に記載のコードレス電話システムにおいて、
前記親機及び／又は前記子機に、
前記親機又は前記子機の共通データに電話帳データが新規登録される場合、
前記親機及び前記子機の有する共通データを参照して、前記電話帳データと同一のものを検索する手段と、
検索一致した場合、前記電話帳データの登録を中止する手段とを具備したことを特徴とするコードレス電話システム。
【請求項４】
親機及び／又は子機に電話帳機能を備えているコードレス電話システムにおいて、
前記親機又は前記子機に、
自機の電話帳データを共通データとシークレットデータとに区分けする手段と、
前記共通データ表示のための指示を出す第１のユーザ操作手段と、
前記第１のユーザ操作手段によって前記共通データ表示の指示が出された場合、前記共通データを表示する手段と、
前記シークレットデータ表示のための指示を出す第２のユーザ操作手段と、
前記第２のユーザ操作手段によって前記シークレットデータ表示の指示が出された場合、前記シークレットデータを表示する手段とを具備したことを特徴とするコードレス電話システム。
【発明の詳細な説明】
【０００１】
【発明の属する技術分野】
本発明はコードレス電話システムに関するものであり、より具体的には、親機とその子機とで構成されるコードレス電話システムに関する。
【０００２】
【従来の技術】
本願発明の従来技術としては、特開平０７−１６２５００号公報（以下、従来例１）、特開平１０−２３１３３号公報（以下、従来例２）等がある。
従来例１には、子機の識別情報及びシークレット番号とともに各メモデータを親機に登録しておき、子機から親機にシークレット番号とともにメモデータ要求信号が送られた場合、該子機の識別情報と該シークレット番号に対応するメモデータを該子機に転送する旨の内容が記載されている。
一方、従来例２には、子機毎に割当てられた記憶領域に電話帳データを記憶し、子機から親機に電話帳データの要求信号が送られた場合には、該子機に割当てられた記憶領域にある電話帳データを転送する旨の内容が記載されている。
【０００３】
【発明が解決しようとする課題】
しかしながら、従来例１の場合、電話帳データを参照する度に親機からデータを受け取る必要がある。また、従来例２の場合、頻繁にかける訳ではない相手の電話帳データを複数の端末に記憶するケースが生ずる。
このように、従来技術には、他機の電話帳データへのアクセスを毎回要したり、メモリ領域の使用に無駄が生じたりする等の問題点があった。
本発明は上記課題に鑑み、電話帳データに対するアクセスの迅速化と、メモリ領域の節約との両立を図ることのできるコードレス電話システムを提供することを目的とする。
【０００４】
【課題を解決するための手段】
上記課題を解決するため、本発明の第１のコードレス電話システムは、親機及び／又は子機に電話帳機能を備え、親機及び／又は子機に、自機の電話帳データを共通データとシークレットデータとに区分けする手段と、他機から共通データのデータ要求信号を受信した場合、共通データを他機に送信する手段と、他機に共通データのデータ要求信号を送信する手段と、他機から受信した共通データを表示する手段とを具備したことを特徴とする。
【０００５】
上記コードレス電話システムの親機及び／又は子機は、データ要求信号の送信元識別情報と、自機に予め登録してある識別情報とが照合一致した場合にのみ共通データを送信する手段と、他機に送信するデータ要求信号に自機の識別情報を付与する手段とを具備することが好ましい。
上記コードレス電話システムの親機及び／又は子機は、親機又は子機の共通データに電話帳データが新規登録される場合、親機及び子機の有する共通データを参照して、電話帳データと同一のものを検索する手段と、検索一致した場合、電話帳データの登録を中止する手段とを具備することが好ましい。
【０００６】
また、本発明の第２のコードレス電話システムは、親機及び／又は子機に電話帳機能を備え、親機又は子機に、自機の電話帳データを共通データとシークレットデータとに区分けする手段と、共通データ表示のための指示を出す第１のユーザ操作手段と、第１のユーザ操作手段によって共通データ表示の指示が出された場合、共通データを表示する手段と、シークレットデータ表示のための指示を出す第２のユーザ操作手段と、第２のユーザ操作手段によってシークレットデータ表示の指示が出された場合、シークレットデータを表示する手段とを具備したことを特徴とする。
【０００７】
【発明の実施の形態】
次に、図１〜６を参照して本発明の実施の形態を詳細に説明する。図１は本発明による実施の形態として親機を示すブロック図であり、図２は本発明による実施の形態として子機を示すブロック図であり、図３及び６は本発明の実施の形態を説明する動作フローチャート、図４〜５は親機及び子機の電話帳のデータ構成図である。
なお、ここでいう「電話帳データ」とは、電話番号・氏名・住所・メールアドレス・その他電話帳に記載される一般的事項をデータ化したものを指す。
【０００８】
図１に示す親機１００は、この親機全体を制御するＣＰＵ１０１を有し、このＣＰＵ１０１は内部メモリである１１３を有している。
ＣＰＵ１０１はＦＬＡＳＨメモリ１０３と接続し、各種データの授受を行っている。このＣＰＵ１０１には、さらにキー１０５、ＬＣＤ（液晶ディスプレイ）１０７、無線回路１１１、通話路制御回路１１５、及びフックスイッチ１２１が接続されている。ここで、キー１０５は留守キー、再生キー、ハンズフリーキー、登録キー、＊キー、テンキー等を有し、各種の情報をＬＣＤ１０７に表示する。
【０００９】
ＦＬＡＳＨメモリ１０３は受信した発信者番号等の各種情報を記憶し、しかも電話帳としてのメモリ機能も有する。さらに、ＦＬＡＳＨメモリ１０３には親機１００本体の動作手順を書きこんだプログラムがインストールされており、このプログラムに従いＣＰＵ１０１が親機全体を制御している。
したがって、本発明の実施の形態である電話帳データへのアクセス処理用プログラムもＦＬＡＳＨメモリ１０３に記憶されている。
１１７は回線インターフェース回路で、一般公衆回線（図１では電話回線１１９）に準拠し、極性反転・回線状態検出等の処理を行う。回線インターフェース回路１１７と接続している通話路制御回路１１５には送話及び受話増幅回路、定電流回路等が組み込まれており、ＣＰＵ１０１からの制御信号で各種処理が行われる。
【００１０】
また、通話路制御回路１１５には無線回路１１１が接続されており、例えば、外線通話を行っている子機２００が他の子機を呼び出すときに、外線通話のための通話チャネルを無線回路１１１で、他の子機の呼び出しのための制御チャネルを他の無線回路で管理するなどして利用する。
無線回路１１１は回線インターフェース回路１１７及び通話路制御回路１１５を介して電話回線１１９から送出された電気信号を変復調してアンテナ１０９から子機に送信し、逆に、子機から受信した電気信号を変復調し、通話路制御回路１１５及び回線インターフェース回路１１７を介して電話回線１１９に送出する。
【００１１】
図２に示す子機２００は、この子機全体を制御するＣＰＵ２３１を有し、このＣＰＵ２３１は内部メモリであるＲＡＭ２４１を有している。さらに、親機１００と無線通信を行うためにＲＦモジュール２３３とコンバンタＩＣ２３４が接続されており、ＲＦモジュール２３３にはアンテナ２３２が接続される。
また、コンバンタＩＣ２３４は、音声出力部が増幅器２３５を介してスピーカ２３６に接続されるとともに、マイク２３７が音声入力部に接続される。
【００１２】
また、ＣＰＵ２３１には、親機１００と同様に、情報を入力するキーマトリックス２３８、情報を表示するＬＣＤ表示部２３９、各種情報を記憶したフラッシュメモリ２４０が接続される。このフラッシュメモリ２４０には、子機本体の動作手順を書きこんだプログラムがインストールされており、このプログラムに従いＣＰＵ２３１が子機全体を制御している。また、本発明の実施の形態である電話帳データへのアクセス処理用プログラムもフラッシュメモリ２４０に記憶されている。
【００１３】
＜第１の実施の形態＞
図３及び図４を参照して、本発明の第１の実施の形態を説明する。図３は本実施の形態を説明するための動作フローチャート、図４は本実施の形態を説明するための親機及び子機の電話帳データのデータ構成図である。親機側の電話帳データはＦＬＡＳＨメモリ１０３に、子機側の電話帳データはフラッシュメモリ２４０に記憶されているものとする。
【００１４】
図４の４０５ａは親機側の電話帳データ、図４の４０５ｂは子機側の電話帳データのデータ構成図を表している。親機電話帳データ００１〜００３は共通データ４０１であり、親機１００及び全子機２００が参照できるものとする。親機電話帳データ００４〜００５はシークレットデータ４０３であり、親機１００のみ参照できる。子機電話帳データ００１〜００５は子機２００のみ参照できるものとする。
【００１５】
次に、図３を参照しながら本実施の形態の動作フローを説明する。子機２００から親機１００の電話帳データを検索しようとするユーザが、所定のキー操作を行うと処理開始となる（Ｓ３０１）。当該キー操作を検知した子機２００のＣＰＵ２３１は電話番号検索処理を実行する（Ｓ３０３）。
続き、子機２００から親機１００に電話帳データを要求する信号（以下、データ要求信号という）が送信される。該信号を受信した親機１００は共通データ４０１があるか否か確認する（Ｓ３０５）。
【００１６】
Ｓ３０５の結果、共通データ４０１が存在した場合には、その共通データ４０１を子機２００に転送する（Ｓ３０７）。転送された共通データ４０１は子機２００のＲＡＭ２４１に一時的に記憶される。続いて、子機２００はＬＣＤ表示部２３９に共通データ４０１を表示する（Ｓ３０９）。
Ｓ３０５の結果、共通データ４０１が存在しなかった場合には、その旨を通知する信号が親機１００から子機２００に送信される。該信号を受信した子機２００は自機のフラッシュメモリ２４０に記憶されている電話帳データ（図４の４０５ｂ）をＬＣＤ表示部２３９に表示する（Ｓ３０９）。
ユーザはＳ３０９でＬＣＤ表示部２３９に表示された電話帳データの中から所望のデータを選択する。それに従い、子機２００はダイヤル発信処理を行い（Ｓ３１１）、処理を終了する（Ｓ３１３）。なお、共通データには、例えば親戚やお店等の電話番号を入れておくと便利である。
【００１７】
＜第２の実施の形態＞
図３及び図５を参照して、本発明の第２の実施の形態を説明する。図３は本実施の形態を説明するための動作フローチャート、図５は本実施の形態を説明するための子機の電話帳データのデータ構成図である。本実施の形態は子機にも共通データ部があり、子機同士及び親子機間で電話帳データの参照をできるものである。ここでは、子機Ａと子機Ｂとの間で電話帳データを参照する場合の説明をする。
なお、子機Ａ及び子機Ｂのブロック図は、いずれも子機２００と同じであると仮定し、説明中でも同一符号を用いるものとする。
【００１８】
図５の５０５ａは子機Ａ側の電話帳データ、図５の５０５ｂは子機Ｂ側の電話帳データのデータ構成図を表している。
符号５０１ａを付した子機Ａ電話帳データ００１〜００３は子機Ａのフラッシュメモリ２４０に記憶した共通データであり、親機及び全子機が参照できるものとする。一方、符号５０３ａを付した子機Ａ電話帳データ００４〜００５は子機Ａのフラッシュメモリ２４０に記憶したシークレットデータであり、子機Ａのみ参照できる。
符号５０１ｂを付した子機Ｂ電話帳データ００１〜００３は子機Ｂのフラッシュメモリ２４０に記憶した共通データであり、親機及び全子機が参照できるものとする。一方、符号５０３ｂを付した子機Ｂ電話帳データ００４〜００５は子機Ｂのフラッシュメモリ２４０に記憶したシークレットデータであり、子機Ｂのみ参照できる。
【００１９】
次に、図３を参照しながら本実施の形態の動作フローを説明する。子機Ａから子機Ｂの電話帳データを検索しようとするユーザが、所定のキー操作を行うと処理開始となる（Ｓ３０１）。当該キー操作を検知した子機ＡのＣＰＵ２３１は電話番号検索処理を実行する（Ｓ３０３）。
続き、子機Ａから子機Ｂにデータ要求信号が送信される。該信号を受信した子機Ｂは共通データ５０１ｂがあるか否か確認する（Ｓ３０５）。
【００２０】
Ｓ３０５の結果、共通データ５０１ｂが存在した場合には、その共通データ５０１ｂを子機Ａに転送する（Ｓ３０７）。転送された共通データ５０１ｂは子機ＡのＲＡＭ２４１に一時的に記憶される。続いて、子機ＡはＬＣＤ表示部２３９に共通データ５０１ｂを表示する（Ｓ３０９）。
Ｓ３０５の結果、共通データ５０１ｂが存在しなかった場合には、その旨を通知する信号が子機Ｂから子機Ａに送信される。該信号を受信した子機Ａは、自機のフラッシュメモリ２４０に記憶されている電話帳データ（図５の５０５ａ）をＬＣＤ表示部２３９に表示する（Ｓ３０９）。
【００２１】
ユーザはＳ３０９でＬＣＤ表示部２３９に表示された電話帳データの中から所望のデータを選択する。それに従い、子機Ａはダイヤル発信処理を行い（Ｓ３１１）、処理を終了する（Ｓ３１３）。
なお、本実施の形態は子機Ａが子機Ｂの共通データを参照する場合であるが、親機も同様に子機Ａ（子機Ｂ）の共通データを参照できる。
【００２２】
＜第３の実施の形態＞
図４及び図６を参照して、本発明の第３の実施の形態を説明する。図４は本実施の形態を説明するための親機及び子機の電話帳データのデータ構成図、図６は本実施の形態を説明するための動作フローチャートである。親機側の電話帳データはＦＬＡＳＨメモリ１０３に、子機側の電話帳データはフラッシュメモリ２４０に記憶されているものとする。
【００２３】
図４の４０５ａは親機側の電話帳データ、図４の４０５ｂは子機側の電話帳データのデータ構成図を表している。親機電話帳データ００１〜００３は共通データ４０１であり、親機１００及び特定の子機２００のみが参照できるものとする。親機電話帳データ００４〜００５はシークレットデータ４０３であり、親機１００のみ参照できる。子機電話帳データ００１〜００５は子機２００のみ参照できるものとする。
本実施の形態の説明では、子機ＩＤ＝０００１である子機２００のみ、親機１００の共通データ４０１を参照できるものとする。
【００２４】
次に、図６を参照しながら本実施の形態の動作フローを説明する。子機２００から親機１００の電話帳データを検索しようとするユーザが、所定のキー操作を行うと処理開始となる（Ｓ６０１）。当該キー操作を検知した子機２００のＣＰＵ２３１は電話番号検索処理を実行する（Ｓ６０３）。
続き、子機２００から親機１００にデータ要求信号が送信される。この場合、データ要求信号に子機ＩＤが含まれているものとする。該信号を受信した親機１００は共通データ４０１があるか否か確認する（Ｓ６０５）。
【００２５】
Ｓ６０５の結果、共通データ４０１が存在した場合、データ要求信号に含まれいる子機ＩＤと、ＦＬＡＳＨメモリ１０３に予め登録してある子機ＩＤ（この場合、０００１）とが照合一致するか否か確認する（Ｓ６０６）。
Ｓ６０６の結果、照合一致した場合（ここでは、子機２００の子機ＩＤが０００１である場合）には、その共通データ４０１を子機２００に転送する（Ｓ６０７）。転送された共通データ４０１は子機２００のＲＡＭ２４１に一時的に記憶される。続いて、子機２００はＬＣＤ表示部２３９に共通データ４０１を表示する（Ｓ６０９）。
【００２６】
Ｓ６０５の結果、共通データ４０１が存在しなかった場合、または、Ｓ６０６にて子機ＩＤが照合一致しなかった場合には、その旨を通知する信号が親機１００から子機２００に送信される。該信号を受信した子機２００は自機のフラッシュメモリ２４０に記憶されている電話帳データ（図４の４０５ｂ）をＬＣＤ表示部２３９に表示する（Ｓ６０９）。
【００２７】
ユーザはＳ６０９でＬＣＤ表示部２３９に表示された電話帳データの中から所望のデータを選択する。それに従い、子機２００はダイヤル発信処理を行い（Ｓ６１１）、処理を終了する（Ｓ６１３）。
なお、本実施の形態は子機が親機の共通データを参照する場合であるが、親機及び子機も子機の共通データを参照できる。
【００２８】
＜第４の実施の形態＞
図４の４０５ａを参照して、本発明の第４の実施の形態を説明する。本発明の第１乃至第３の実施の形態は、異なる端末から共通データを参照する場合であった。
本発明の第４の実施の形態は、親機１００の電話帳データを共通データ４０１とシークレット４０３とに区分けし、共通データ４０１を誰でも参照可能、シークレットデータ４０３を特定のユーザのみ参照可能とするものである。この場合、当該ユーザは予め暗証番号を親機１００のＦＬＡＳＨメモリ１０３等に記憶しておく。ユーザは、共通データ４０１を参照する場合、電話帳データ参照のための操作を従来通り行う。
【００２９】
一方、シークレットデータ４０３を参照する場合には、該操作に加えて暗証番号を入力する。親機１００は入力された暗証番号と、ＦＬＡＳＨメモリ１０３等に記憶してある暗証番号とを照合し、一致した場合にのみシークレットデータ４０３を表示する。
【００３０】
＜第５の実施の形態＞
図５の５０５ａを参照して、本発明の第５の実施の形態を説明する。本発明の第１乃至第３の実施の形態は、異なる端末から共通データを参照する場合であった。
本発明の第５の実施の形態は、子機２００の電話帳データを共通データ５０１ａとシークレット５０３ａとに区分けし、共通データ５０１ａを誰でも参照可能、シークレットデータ５０３ａを特定のユーザのみ参照可能とするものである。この場合、当該ユーザは予め暗証番号を子機２００のフラッシュメモリ２４０等に記憶しておく。ユーザは、共通データ５０１ａを参照する場合、電話帳データ参照のための操作を従来通り行う。
一方、シークレットデータ５０３ａを参照する場合には、該操作に加えて暗証番号を入力する。子機２００は入力された暗証番号と、フラッシュメモリ２４０等に記憶してある暗証番号とを照合し、一致した場合にのみシークレットデータ５０３ａを表示する。
【００３１】
以上、本発明の実施の形態を説明したが、本発明はこれに限定されないことは明らかである。例えば、上記実施の形態では電話帳データの重複登録を排除する処理を行っていないが、複数の端末で共通データを各自保持する場合、お互いの共通データに同一の電話帳データが存在したのではメモリ領域が有効に使えない場合がある。この対処策として、以下のような処理を行うことが可能である。
【００３２】
親機又は子機の共通データ領域（図４の４０１、図５の５０１ａ、図５の５０１ｂ）に電話帳データを新規登録する場合には、これら共通データ領域をサーチして登録しようとしている電話帳データと同一のものがあるか否か確認する。
その結果、同一のものが存在する場合には、その旨をユーザに通知して「登録を中止する／電話帳データを上書きする」等の選択をさせる。同一の電話帳データが存在しない場合には、そのまま電話帳データを新規登録する。
また、電話帳の電話番号だけでなく同電話帳のメールアドレスも上記説明のように登録・検索してもよい。
【００３３】
【発明の効果】
このように本発明によると、電話帳データに対するアクセスの迅速化と、メモリ領域の節約との両立が可能なコードレス電話システムを提供することができる。
【図面の簡単な説明】
【図１】本発明の実施の形態の親機を示すブロック図。
【図２】本発明の実施の形態の子機を示すブロック図。
【図３】本発明の実施の形態を説明する動作フローチャート。
【図４】本発明の実施の形態である電話帳のデータ構成図。
【図５】本発明の実施の形態である電話帳のデータ構成図。
【図６】本発明の実施の形態を説明する動作フローチャート。
【符号の説明】
１００　　親機
２００　　子機
１０３　　ＦＬＡＳＨメモリ
１１３　　メモリ
１０７　　ＬＣＤ
２３９　　ＬＣＤ表示部
２４０　　フラッシュメモリ
２４１　　ＲＡＭ
【図１】
2004056514.tif 000003
【図２】
2004056514.tif 000004
【図３】
2004056514.tif 000005
【図４】
2004056514.tif 000006
【図５】
2004056514.tif 000007
【図６】
2004056514.tif 000008